【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
基部と第１の表面とを有する第１の電極と、
基部と第２の表面とを有する第２の電極と
を備えた電池またはエネルギー蓄積デバイスであって、
該第１の電極の該第１の表面および該第２の電極の該第２の表面の各々は、該第１の電極と該第２の電極との間のインターフェースに露出されている部分を含んでおり、
該インターフェースに露出されている該第１の電極の該第１の表面の該部分は、網目状であり、該網目は、複数の突起と凹みとを規定するように、該第１の電極の該基部から該第２の電極の該基部への方向に延伸しており、
該インターフェースに露出されている該第２の電極の該第２の表面の該部分は、網目状であり、該網目は、該第２の電極の該基部から該第１の電極の該基部への方向に延伸しており、
該第１の電極は、非網目状の表面の理論上表面積の少なくとも１．５倍の表面積を提供し、
該複数の突起の各々は、長さｌと断面厚ａとを有しており、
該断面厚ａは、該断面厚が、該複数の突起の各々の長さに沿って平均化されたときに、約１００ミクロン未満となるように、該複数の突起の各々の長さｌに沿って変動しており、
該第１および第２の網目状の表面は、相互貫入している、電池またはエネルギー蓄積デバイス。
【請求項２】
前記複数の突起は、網目状である前記第１の表面の前記部分に周期的、非周期的、または、ランダムに配置されている、請求項１に記載の電池またはエネルギー蓄積デバイス。
【請求項３】
前記第１の表面は、平滑かつ非網目状の構造の理論上面積の少なくとも２倍の表面積を有する、請求項１に記載の電池またはエネルギー蓄積デバイス。
【請求項４】
前記第１の表面は、平滑かつ非網目状の構造の理論上面積の少なくとも２．５倍の表面積を有する、請求項１に記載の電池またはエネルギー蓄積デバイス。
【請求項５】
前記第１の表面は、平滑かつ非網目状の構造の理論上面積の少なくとも３倍の表面積を有する、請求項１に記載の電池またはエネルギー蓄積デバイス。
【請求項６】
前記第１の表面は、平滑かつ非網目状の構造の理論上面積の少なくとも４倍の表面積を有する、請求項１に記載の電池またはエネルギー蓄積デバイス。
【請求項７】
前記第１の表面は、平滑かつ非網目状の構造の理論上面積の少なくとも５倍の表面積を有する、請求項１に記載の電池またはエネルギー蓄積デバイス。
【請求項８】
前記複数の突起の各々の断面幅ａは、該複数の突起の各々の第１の位置から該複数の突起の各々の第２の位置に向かって増大し、該第２の位置は、該第１の位置よりも、前記第１の電極の前記基部の近くに位置している、請求項１に記載の電池またはエネルギー蓄積デバイス。
【請求項９】
前記複数の突起の各々の第１の位置における該複数の突起の各々の断面積は、該複数の突起の各々の第２の位置における該複数の突起の各々の断面積よりも大きく、該第１の位置は、該第２の位置よりも、前記第１の電極の前記基部の近くに位置している、請求項１に記載の電池またはエネルギー蓄積デバイス。
【請求項１０】
前記第２の表面の前記網目は、複数の突起と、介在している凹みとを規定しており、該第２の表面は、平滑な非網目状の表面の理論上表面積の少なくとも１．５倍の表面積を有しており、該第２の表面の該網目によって規定される該複数の突起は、長さｍと断面厚ｂとを有している、請求項１に記載の電池またはエネルギー蓄積デバイス。
【請求項１１】
前記第２の表面の前記網目は、複数の突起と、介在している凹みとを規定しており、該第２の表面は、平滑な非網目状の表面の理論上表面積の少なくとも１．５倍の表面積を有しており、該第２の表面の該網目によって規定される該複数の突起は、長さｍと断面厚ｂとを有しており、該断面厚ｂは、該第２の表面の該網目によって規定される該複数の突起の各々の長さｍに沿って変動する、請求項１に記載の電池またはエネルギー蓄積デバイス。
【請求項１２】
前記第２の表面は、平滑な非網目状の表面の理論上表面積の少なくとも２倍の表面積を有する、請求項１１に記載の電池またはエネルギー蓄積デバイス。
【請求項１３】
前記第２の表面は、平滑な非網目状の表面の理論上表面積の少なくとも２．５倍の表面積を有する、請求項１１に記載の電池またはエネルギー蓄積デバイス。
【請求項１４】
前記第２の表面は、平滑な非網目状の表面の理論上表面積の少なくとも３倍の表面積を有する、請求項１１に記載の電池またはエネルギー蓄積デバイス。
【請求項１５】
前記第２の表面は、平滑な非網目状の表面の理論上表面積の少なくとも３．５倍の表面積を有する、請求項１１に記載の電池またはエネルギー蓄積デバイス。
【請求項１６】
前記第２の表面は、平滑な非網目状の表面の理論上表面積の少なくとも４倍の表面積を有する、請求項１１に記載の電池またはエネルギー蓄積デバイス。
【請求項１７】
前記第２の表面は、平滑な非網目状の表面の理論上表面積の少なくとも５倍の表面積を有する、請求項１１に記載の電池またはエネルギー蓄積デバイス。
【請求項１８】
前記第２の表面の前記網目によって規定される前記複数の突起は、周期的、非周期的、または、ランダムに配置されている、請求項１１に記載の電池またはエネルギー蓄積デバイス。
【請求項１９】
前記第２の表面の前記網目によって規定される前記複数の突起の各々の前記断面幅ｂは、該第２の表面の該網目によって規定される該複数の突起の各々の第１の位置から、該第２の表面の該網目によって規定される該複数の突起の各々の第２の位置に向かって増大し、該第２の位置は、該第１の位置よりも、前記第２の電極の前記基部の近くに位置している、請求項１１に記載の電池またはエネルギー蓄積デバイス。
【請求項２０】
前記第２の表面の前記網目によって規定される前記複数の突起の各々の第１の位置における、該第２の表面の該網目によって規定される該複数の突起の各々の断面積は、該第２の表面の該網目によって規定される該複数の突起の各々の第２の位置における、該第２の表面の該網目によって規定される該複数の突起の各々の断面積よりも大きく、該第１の位置は、該第２の位置よりも、前記第２の電極の前記基部の近くに位置している、請求項１１に記載の電池またはエネルギー蓄積デバイス。
【請求項２１】
前記第２の表面の前記網目によって規定される前記複数の突起の各々の前記断面積は、該第２の表面の該網目によって規定される該複数の突起の各々の第１の位置から、該第２の表面の該網目によって規定される該複数の突起の各々の第２の位置に向かって増大し、該第２の位置は、該第１の位置よりも、前記第２の電極の前記基部の近くに位置している、請求項１１に記載の電池またはエネルギー蓄積デバイス。
【請求項２２】
前記第２の電極の前記第２の表面の前記網目は、前記第１の電極の前記第１の表面の前記網目と相補的である、請求項１１に記載の電池またはエネルギー蓄積デバイス。
【請求項２３】
前記第２の表面の前記網目と相補的な前記第１の表面の前記網目の間の平均距離は、１００ミクロン未満である、請求項２２に記載の電池またはエネルギー蓄積デバイス。
【請求項２４】
前記第２の表面の前記網目と相補的な前記第１の表面の前記網目の間の平均距離は、５０ミクロン未満である、請求項２２に記載の電池またはエネルギー蓄積デバイス。
【請求項２５】
前記第２の表面の前記網目と相補的な前記第１の表面の前記網目の間の平均距離は、２５ミクロン未満である、請求項２２に記載の電池またはエネルギー蓄積デバイス。
【請求項２６】
前記第２の表面の前記網目と相補的な前記第１の表面の前記網目の間の平均距離は、１０ミクロン未満である、請求項２２に記載の電池またはエネルギー蓄積デバイス。
【請求項２７】
前記第１の表面の前記網目と前記第２の表面の前記網目との間に配置された電解質をさらに備える、請求項１１に記載の電池またはエネルギー蓄積デバイス。
【請求項２８】
前記第１の電極は、多孔質である、請求項１に記載の電池またはエネルギー蓄積デバイス。
【請求項２９】
前記第２の電極は、多孔質である、請求項２８に記載の電池またはエネルギー蓄積デバイス。
【請求項３０】
基部と第１の表面とを有する第１の電極と、
基部と第２の表面とを有する第２の電極と
を備えた電池またはエネルギー蓄積デバイスであって、
該第１の電極の該第１の表面および該第２の電極の該第２の表面の各々は、該第１の電極と該第２の電極との間のインターフェースに露出されている部分を含んでおり、
該インターフェースに露出されている該第１の電極の該第１の表面の該部分は、網目状であり、該網目は、複数の突起と凹みとを規定するように、該第１の電極の該基部から該第２の電極の該基部への方向に延伸しており、
該インターフェースに露出されている該第２の電極の該第２の表面の該部分は、網目状であり、該網目は、該第２の電極の該基部から該第１の電極の該基部への方向に延伸しており、
該第１の電極は、非網目状の表面の理論上表面積の少なくとも１．５倍の表面積を提供し、
該複数の突起の各々は、長さｌと断面厚ａとを有しており、網目状である該第１の表面の該部分に非周期的に配置されており、
該断面厚ａは、該複数の突起の各々の長さｌに沿って変動しており、
該第１および第２の網目状の表面は、相互貫入している、電池またはエネルギー蓄積デバイス。
【請求項３１】
前記第１の表面は、平滑かつ非網目状の構造の理論上面積の少なくとも２倍の表面積を有する、請求項３０に記載の電池またはエネルギー蓄積デバイス。
【請求項３２】
前記複数の突起の各々の断面幅ａは、該複数の突起の各々の第１の位置から該複数の突起の各々の第２の位置に向かって増大し、該第２の位置は、該第１の位置よりも、前記第１の電極の前記基部の近くに位置している、請求項３０に記載の電池またはエネルギー蓄積デバイス。
【請求項３３】
前記複数の突起の各々の第１の位置における該複数の突起の各々の断面積は、該複数の突起の各々の第２の位置における該複数の突起の各々の断面積よりも大きく、該第１の位置は、該第２の位置よりも、前記第１の電極の前記基部の近くに位置している、請求項３０に記載の電池またはエネルギー蓄積デバイス。
【請求項３４】
前記第２の表面の前記網目は、複数の突起と、介在している凹みとを規定しており、該第２の表面は、平滑な非網目状の表面の理論上表面積の少なくとも１．５倍の表面積を有しており、該第２の表面の該網目によって規定される該複数の突起は、長さｍと断面厚ｂとを有しており、該断面厚ｂは、該第２の表面の該網目によって規定される該複数の突起の各々の長さｍに沿って変動する、請求項３０に記載の電池またはエネルギー蓄積デバイス。
【請求項３５】
前記第２の表面は、平滑な非網目状の表面の理論上表面積の少なくとも２倍の表面積を有する、請求項３４に記載の電池またはエネルギー蓄積デバイス。
【請求項３６】
前記第２の表面の前記網目によって規定される前記複数の突起の各々の前記断面幅ｂは、該第２の表面の該網目によって規定される該複数の突起の各々の第１の位置から、該第２の表面の該網目によって規定される該複数の突起の各々の第２の位置に向かって増大し、該第２の位置は、該第１の位置よりも、前記第２の電極の前記基部の近くに位置している、請求項３４に記載の電池またはエネルギー蓄積デバイス。
【請求項３７】
前記第２の表面の前記網目によって規定される前記複数の突起の各々の第１の位置における、該第２の表面の該網目によって規定される該複数の突起の各々の断面積は、該第２の表面の該網目によって規定される該複数の突起の各々の第２の位置における、該第２の表面の該網目によって規定される該複数の突起の各々の断面積よりも大きく、該第１の位置は、該第２の位置よりも、前記第２の電極の前記基部の近くに位置している、請求項３４に記載の電池またはエネルギー蓄積デバイス。
【請求項３８】
前記第２の表面の前記網目によって規定される前記複数の突起の各々の前記断面積は、該第２の表面の該網目によって規定される該複数の突起の各々の第１の位置から、該第２の表面の該網目によって規定される該複数の突起の各々の第２の位置に向かって増大し、該第２の位置は、該第１の位置よりも、前記第２の電極の前記基部の近くに位置している、請求項３４に記載の電池またはエネルギー蓄積デバイス。
【請求項３９】
前記第１の表面の前記網目と前記第２の表面の前記網目との間に配置された電解質をさらに備える、請求項３４に記載の電池またはエネルギー蓄積デバイス。
【請求項４０】
前記第１の電極は、多孔質である、請求項３０に記載の電池またはエネルギー蓄積デバイス。
【請求項４１】
基部と第１の表面とを有する第１の電極と、
基部と第２の表面とを有する第２の電極と
を備えた電池またはエネルギー蓄積デバイスであって、
該第１の電極の該第１の表面および該第２の電極の該第２の表面の各々は、該第１の電極と該第２の電極との間のインターフェースに露出されている部分を含んでおり、
該インターフェースに露出されている該第１の電極の該第１の表面の該部分は、網目状であり、該網目は、複数の突起と凹みとを規定するように、該第１の電極の該基部から該第２の電極の該基部への方向に延伸しており、
該インターフェースに露出されている該第２の電極の該第２の表面の該部分は、網目状であり、該網目は、該第２の電極の該基部から該第１の電極の該基部への方向に延伸しており、
該第１の電極は、非網目状の表面の理論上表面積の少なくとも１．５倍の表面積を提供し、
該複数の突起の各々は、長さｌと断面厚ａとを有しており、
該断面厚ａは、該複数の突起の各々の長さｌに沿って変動しており、
該第１および第２の網目状の表面は、相互貫入している、電池またはエネルギー蓄積デバイス。
【請求項４２】
前記第１の表面は、平滑かつ非網目状の構造の理論上面積の少なくとも２倍の表面積を有する、請求項４１に記載の電池またはエネルギー蓄積デバイス。
【請求項４３】
前記複数の突起の各々の断面幅は、該複数の突起の各々の第１の位置から該複数の突起の各々の第２の位置に向かって増大し、該第２の位置は、該第１の位置よりも、前記第１の電極の前記基部の近くに位置している、請求項４１に記載の電池またはエネルギー蓄積デバイス。
【請求項４４】
前記複数の突起の各々の第１の位置における該複数の突起の各々の断面積は、該複数の突起の各々の第２の位置における該複数の突起の各々の断面積よりも大きく、該第１の位置は、該第２の位置よりも、前記第１の電極の前記基部の近くに位置している、請求項４１に記載の電池またはエネルギー蓄積デバイス。
【請求項４５】
前記第２の表面の前記網目は、複数の突起と、介在している凹みとを規定しており、該第２の表面は、平滑な非網目状の表面の理論上表面積の少なくとも１．５倍の表面積を有しており、該第２の表面の該網目によって規定される該複数の突起は、長さｍと断面厚ｂとを有しており、該断面厚ｂは、該第２の表面の該網目によって規定される該複数の突起の各々の長さｍに沿って変動する、請求項４１に記載の電池またはエネルギー蓄積デバイス。
【請求項４６】
前記第２の表面は、平滑な非網目状の表面の理論上表面積の少なくとも２倍の表面積を有する、請求項４５に記載の電池またはエネルギー蓄積デバイス。
【請求項４７】
前記第２の表面の前記網目によって規定される前記複数の突起の各々の前記断面幅ｂは、該第２の表面の該網目によって規定される該複数の突起の各々の第１の位置から、該第２の表面の該網目によって規定される該複数の突起の各々の第２の位置に向かって増大し、該第２の位置は、該第１の位置よりも、前記第２の電極の前記基部の近くに位置している、請求項４５に記載の電池またはエネルギー蓄積デバイス。
【請求項４８】
前記第２の表面の前記網目によって規定される前記複数の突起の各々の第１の位置における、該第２の表面の該網目によって規定される該複数の突起の各々の断面積は、該第２の表面の該網目によって規定される該複数の突起の各々の第２の位置における、該第２の表面の該網目によって規定される該複数の突起の各々の断面積よりも大きく、該第１の位置は、該第２の位置よりも、前記第２の電極の前記基部の近くに位置している、請求項４５に記載の電池またはエネルギー蓄積デバイス。
【請求項４９】
前記第２の表面の前記網目によって規定される前記複数の突起の各々の前記断面積は、該第２の表面の該網目によって規定される該複数の突起の各々の第１の位置から、該第２の表面の該網目によって規定される該複数の突起の各々の第２の位置に向かって増大し、該第２の位置は、該第１の位置よりも、前記第２の電極の前記基部の近くに位置している、請求項４５に記載の電池またはエネルギー蓄積デバイス。
【請求項５０】
前記第１の表面の前記網目と前記第２の表面の前記網目との間に配置された電解質をさらに備える、請求項４５に記載の電池またはエネルギー蓄積デバイス。
【請求項５１】
平面状の基板をさらに備え、前記第１の電極は、該平面状の基板上に配置されている、請求項１に記載の電池またはエネルギー蓄積デバイス。